(57)【要約】【課題】ユーザが忘れることなくデータの入力を行うことができ、データの入力に基づいて、ユーザに対してよりよいサービスを提供する。【解決手段】電子機器（１）は、スピーカ（１２）と制御装置（２０）とを備え、制御装置（２０）は、所定のイベントが発生したことを検出するイベント検出処理と、ユーザにより入力されるべきデータが、記憶装置（３０）に記憶されているか否かを確認する確認処理と、データの入力をユーザに催促する音声催促データを準備する音声催促データ準備処理と、音声催促データをスピーカ（１２）より出力する音声出力処理と、を行う。【選択図】図１
2020134585.tif 000002
【特許請求の範囲】
【請求項１】
少なくとも１つの音声出力装置と、少なくとも１つの制御装置と、を備える電子機器であって、
前記制御装置は、
所定のイベントが発生したことを検出するイベント検出処理と、
前記イベントに関連してユーザにより入力されるべきデータが、記憶装置に記憶されているか否かを確認する確認処理と、
前記データが前記記憶装置に記憶されていない場合、前記データの入力をユーザに催促する音声催促データを準備する音声催促データ準備処理と、
前記音声催促データを前記音声出力装置より出力する音声出力処理と、を行うことを特徴とする電子機器。
【請求項２】
前記制御装置は、
前記音声催促データ準備処理において、前記音声催促データにつき、前記データの入力の重要性をユーザに知らせる音声を含むように準備することを特徴とする請求項１に記載の電子機器。
【請求項３】
前記制御装置は、
前記音声催促データの出力に応じてユーザが入力した入力データについて、ユーザが過去に入力して前記記憶装置に記憶されているデータを参照し、前記入力データを評価する音声評価データを準備する音声評価データ準備処理をさらに行うことを特徴とする請求項１または２に記載の電子機器。
【請求項４】
少なくとも１つの音声出力装置を備える電子機器を制御するための制御装置であって、
所定のイベントが発生したことを検出する処理を行うイベント検出部と、
前記イベントに関連してユーザにより入力されるべきデータが、記憶装置に記憶されているか否かを確認する処理を行う確認部と、
前記データが前記記憶装置に記憶されていない場合、前記データの入力をユーザに催促する音声催促データを準備する処理を行う音声催促データ準備部と、
前記音声催促データを前記音声出力装置より出力する処理を行う音声出力部と、を備えていることを特徴とする制御装置。
【請求項５】
少なくとも１つの音声出力装置を備える電子機器を制御するための制御方法であって、
所定のイベントが発生したことを検出するイベント検出ステップと、
前記イベントに関連してユーザにより入力されるべきデータが、記憶装置に記憶されているか否かを確認する確認ステップと、
前記データが前記記憶装置に記憶されていない場合、前記データの入力をユーザに催促する音声催促データを準備する音声催促データ準備ステップと、
前記音声催促データを前記音声出力装置より出力する音声出力ステップと、を備えていることを特徴とする制御方法。
【請求項６】
請求項５に記載の各ステップをコンピュータに実行させるためのプログラム。
【発明の詳細な説明】
【技術分野】
【０００１】
本発明は、電子機器、制御装置、制御方法、及びプログラムに関する。
【背景技術】
【０００２】
従来、ダイエットまたは健康管理を目的としたヘルスケアアプリが多数存在する。ユーザは、スマートフォンに体重及び食事等のデータを入力することにより、様々な食事メニュー及び運動メニュー等の提案を受ける。また、特許文献１には、特定人の生活リズムにおけるイベント発生を検出し、イベントに対応して動作機構、情報表示手段、及び音声発生手段の少なくともいずれかの制御パラメータを選択する電子玩具が開示されている。
【先行技術文献】
【特許文献】
【０００３】
【特許文献１】特開２００２−３０７３５４号公報（２００２年１０月２３日公開）
【発明の概要】
【発明が解決しようとする課題】
【０００４】
しかしながら、ユーザは、様々な食事メニュー及び運動メニュー等の提案を受けるためには、例えば、体重及び食事等のデータを電子機器に毎日入力する必要がある。ユーザは、普段から生活しているとき、この毎日のデータの入力を忘れることがある。ユーザは、データの入力を忘れると、様々な食事メニュー及び運動メニューの提案等の適切なサービスを受けることが困難になる。
【０００５】
スマートフォン等に入っているヘルスケアアプリでは、データの入力を催促する表示が実施されるが、ユーザは、スマートフォンを常時見ているわけではないため、データの入力を忘れることがあるという問題がある。本発明の一態様は、ユーザが忘れることなくデータの入力を行うことができ、データの入力に基づいて、ユーザに対してよりよいサービスを提供することを目的とする。
【課題を解決するための手段】
【０００６】
前記の課題を解決するために、本発明の一態様に係る電子機器は、少なくとも１つの音声出力装置と、少なくとも１つの制御装置と、を備える電子機器であって、前記制御装置は、所定のイベントが発生したことを検出するイベント検出処理と、前記イベントに関連してユーザにより入力されるべきデータが、記憶装置に記憶されているか否かを確認する確認処理と、前記データが前記記憶装置に記憶されていない場合、前記データの入力をユーザに催促する音声催促データを準備する音声催促データ準備処理と、前記音声催促データを前記音声出力装置より出力する音声出力処理と、を行う。
【０００７】
また、本発明の一態様に係る制御装置は、少なくとも１つの音声出力装置を備える電子機器を制御するための制御装置であって、所定のイベントが発生したことを検出する処理を行うイベント検出部と、前記イベントに関連してユーザにより入力されるべきデータが、記憶装置に記憶されているか否かを確認する処理を行う確認部と、前記データが前記記憶装置に記憶されていない場合、前記データの入力をユーザに催促する音声催促データを準備する処理を行う音声催促データ準備部と、前記音声催促データを前記音声出力装置より出力する処理を行う音声出力部と、を備えている。
【０００８】
さらに、本発明の一態様に係る制御方法は、少なくとも１つの音声出力装置を備える電子機器を制御するための制御方法であって、所定のイベントが発生したことを検出するイベント検出ステップと、前記イベントに関連してユーザにより入力されるべきデータが、記憶装置に記憶されているか否かを確認する確認ステップと、前記データが前記記憶装置に記憶されていない場合、前記データの入力をユーザに催促する音声催促データを準備する音声催促データ準備ステップと、前記音声催促データを前記音声出力装置より出力する音声出力ステップと、を備えている。
【発明の効果】
【０００９】
本発明の一態様によれば、ユーザが忘れることなくデータの入力を行うことができ、データの入力に基づいて、ユーザに対してよりよいサービスを提供することができる。
【図面の簡単な説明】
【００１０】
【図１】本発明の実施形態１に係る電子機器の構成を示すブロック図である。
【図２】図１に示す電子機器が備える制御装置による処理の流れの一例を示すフローチャートである。
【図３】図１に示す電子機器による対話の一例を示す図である。
【図４】図１に示す電子機器による対話の一例を示す図である。
【図５】図１に示す電子機器が備える制御装置による処理の流れの変形例を示すフローチャートである。
【図６】図１に示す電子機器による対話の一例を示す図である。
【図７】図１に示す電子機器による対話の一例を示す図である。
【発明を実施するための形態】
【００１１】
〔実施形態〕
（電子機器１の構成）
電子機器１の構成について、図１に基づいて説明する。図１は、本発明の実施形態１に係る電子機器１の構成を示すブロック図である。電子機器１は、図１に示すように、少なくとも１つのマイク１１、少なくとも１つのスピーカ１２（音声出力装置）、少なくとも１つの制御装置２０、及び少なくとも１つの記憶装置３０を備えている。つまり、マイク１１、スピーカ１２、制御装置２０、及び記憶装置３０はそれぞれ、単数であってもよく、複数であってもよい。電子機器１は、ユーザとの対話が可能なロボットであることが好ましいが、これに限られず、例えば、対話機能を備えるスマートフォン等であってもよい。
【００１２】
マイク１１は、ユーザからの音声を入力する音声入力装置として機能する。マイク１１は、従来の一般的なマイク等の集音装置である。マイク１１は、入力された音声を電気信号に変換して制御装置２０に出力する。制御装置２０は、入力された音声を音声認識してユーザからの指示内容を判別する。なお、入力された音声の音声認識は、制御装置２０ではなく、電子機器１が備える音声認識専用の部材等により行われてもよい。
【００１３】
このように、ユーザの音声により指示を電子機器１に入力する態様によれば、ユーザは電子機器１に話しかけるだけで、容易に指示を与えることができる。なお、ユーザからの電子機器１への入力は、音声によるものに限られず、タッチパネルまたはキーボード等によるものであってもよく、カメラ等によるユーザの動作（ジェスチャ）認識等によるものであってもよい。このような構成によれば、静寂な公共スペース等の声を出しにくい状況でも、ユーザは電子機器１に指示を与えることができる。
【００１４】
スピーカ１２は、電子機器１から音声を出力し、制御装置２０と接続されている。スピーカ１２は、従来の一般的な音声出力装置である。電子機器１は、マイク１１を介して入力されたユーザの音声等によりユーザの指示を認識し、スピーカ１２を介して音声によりサービスを提供することで、電子機器１及びユーザ間の対話機能を実現する。
【００１５】
（制御装置２０）
制御装置２０は、例えばＣＰＵ（Central Processing Unit）であり、電子機器１の各部を統括して制御する。つまり、制御装置２０は、電子機器１を制御するための装置である。制御装置２０は、イベント検出部２１、確認部２２、音声催促データ準備部２３、音声評価データ準備部２４、及び音声出力部２５を備えている。
【００１６】
イベント検出部２１は、所定のイベントが発生したことを検出する処理（イベント検出処理）を行う。所定のイベントとしては、例えば、食事データの入力、体重データの入力、歩数の入力、外出前の状態、帰宅時の状態、及び就寝前の状態が挙げられる。つまり、所定のイベントは、ユーザによる電子機器１への入力動作、または現在時刻により判定される状態である。食事データ、体重データ、及び歩数の入力はそれぞれ、ユーザが電子機器１に食事データ、体重データ、及び歩数の入力を行うことを示す。このように、イベント検出部２１は、ユーザによる日々の行動のタイミングを検出する。
【００１７】
外出前の状態は、現在時刻がユーザの外出時刻より所定時間だけ前の時刻になった状態を示す。帰宅時の状態は、現在時刻がユーザの帰宅時刻になった状態を示す。就寝前の状態は、現在時刻がユーザの就寝時刻より所定時間だけ前の時刻になった状態を示す。ユーザの外出時刻、ユーザの帰宅時刻、及びユーザの就寝時刻は、記憶装置３０に予め記憶されている。
【００１８】
確認部２２は、イベントとユーザにより入力されるべきデータとの対応関係に従って、イベントに関連してユーザにより入力されるべきデータが、記憶装置３０に記憶されているか否かを確認する処理（確認処理）を行う。イベントに関連してユーザにより入力されるべきデータとしては、例えば、食事メニュー、体重、歩数、身長、年齢、及び性別が挙げられる。前記対応関係については後述する。
【００１９】
音声催促データ準備部２３は、イベントに関連してユーザにより入力されるべきデータが記憶装置３０に記憶されていない場合、当該データの入力をユーザに催促する音声催促データを準備する処理（音声催促データ準備処理）を行う。音声催促データとしては、例えば、食事メニュー、食事のカロリー、体重、歩数、身長、年齢、及び性別の入力をユーザに催促するデータである。音声出力部２５は、音声催促データ準備部２３によって準備された音声催促データをスピーカ１２より出力する処理（音声出力処理）を行う。
【００２０】
音声評価データ準備部２４は、音声催促データの出力に応じてユーザが入力した入力データについて、ユーザが過去に入力して記憶装置３０に記憶されているデータを参照し、当該入力データを評価する音声評価データを準備する処理（音声評価データ準備処理）を行う。
【００２１】
なお、制御装置２０は、電子機器１が備えていてもよく、クラウドサーバ上に備えられていてもよい。この場合、電子機器１が備える通信装置（図示せず）は、ユーザの音声をクラウドサーバ上の制御装置２０に送信してもよい。この場合、クラウドサーバ上の制御装置２０は、当該音声に基づいて前述の各処理を行い、音声出力部２５が出力すべき音声データを電子機器１に送信してもよい。この構成によれば、電子機器１が制御装置２０を備える必要がなく、電子機器１を安価に製造できる。また、電子機器１に備えられるよりも高性能な制御装置２０を、クラウドサーバ上に設けることができる。
【００２２】
（記憶装置３０）
記憶装置３０は、ユーザからのデータの入力の情報等を記憶する。記憶装置３０は、例えばＨＤＤ（Hard Disk Drive）、ＳＳＤ（Solid State Drive）、またはＲＯＭ（Read Only Memory）である。また、記憶装置３０は、電子機器１で実行されるプログラム等を展開するＲＡＭ（Random Access Memory）等をさらに備えていてもよい。
【００２３】
記憶装置３０には、イベントとユーザにより入力されるべきデータとの対応関係が予め記憶されている。つまり、イベントとユーザにより入力されるべきデータとが予め対応付けられている。例えば、イベントが「食事データの入力」である場合、イベントとしての「食事データの入力」と対応付けられているデータが「体重」であるとする。この場合、記憶装置３０には、イベントとしての「食事データの入力」とユーザにより入力されるべきデータとしての「体重」とが対応付けられて記憶されている。
【００２４】
なお、前記対応関係において、イベント、及びユーザにより入力されるべきデータの少なくとも一方が複数であってもよい。例えば、イベントが「外出前の状態」である場合、ユーザにより入力されるべきデータが「食事メニュー」及び「食事のカロリー」であってもよい。
【００２５】
（制御装置２０による処理の一例）
制御装置２０による処理（制御方法）の一例を図２及び図３に基づいて説明する。図２は、図１に示す電子機器１が備える制御装置２０による処理の流れの一例を示すフローチャートである。図３は、図１に示す電子機器１による対話の一例を示す図である。図２に示すように、まず、イベント検出部２１は、所定のイベントが発生したか否かを確認する（ステップＳ１）。
【００２６】
イベント検出部２１が、所定のイベントが発生したことを検出していない場合（ステップＳ１にてＮＯの場合）、イベント検出部２１は、ステップＳ１の処理を続ける。イベント検出部２１が、所定のイベントが発生したことを検出した場合（ステップＳ１にてＹＥＳの場合：イベント検出ステップ）、確認部２２は、イベントとユーザにより入力されるべきデータとの対応関係に従って、イベントに関連してユーザにより入力されるべきデータが、記憶装置３０に記憶されているか否かを確認する処理を行う（ステップＳ２：確認ステップ）。具体的に以下に説明する。
【００２７】
ここで、所定のイベントは、「外出前の状態」であるものとする。イベント検出部２１は、現在時刻がユーザの外出時刻より所定時間だけ前の時刻になった時点で、所定のイベントとしての「外出前の状態」が発生したことを検出する。確認部２２は、イベントとユーザにより入力されるべきデータとの対応関係を記憶装置３０から参照することにより、イベントとしての「外出前の状態」と対応付けられているデータが「食事メニュー」であると認識する。確認部２２は、「食事メニュー」に該当するデータが記憶装置３０に記憶されているか否かを確認する処理を行う。
【００２８】
なお、確認部２２がステップＳ２の処理を行うとき、確認部２２は、記憶装置３０に記憶されているデータのうち、直近の所定期間に記憶されたデータのみを参照して、ユーザにより入力されるべきデータが記憶装置３０に記憶されているか否かを確認してもよい。これにより、例えば、確認部２２は、直近のイベントについて、ユーザにより入力されるべきデータが記憶装置３０に記憶されているか否かを確認することができる。
【００２９】
つまり、ユーザにより入力されるべきデータの対象を直近のイベントに関するものに限定することができる。例えば、ユーザにより入力されるべきデータが、ある日の朝食についての「食事メニュー」である場合、別の日の朝食についての「食事メニュー」を対象外とすることができる。
【００３０】
イベントに関連してユーザにより入力されるべきデータが、記憶装置３０に記憶されている場合（ステップＳ２にてＹＥＳの場合）、制御装置２０による処理は終了する。イベントに関連してユーザにより入力されるべきデータが、記憶装置３０に記憶されていない場合（ステップＳ２にてＮＯの場合）を考える。この場合、音声催促データ準備部２３は、ユーザにより入力されるべきデータの入力をユーザに催促する音声催促データを準備する処理を行い、音声出力部２５は、音声催促データをスピーカ１２より出力する処理を行う（ステップＳ３：音声催促データ準備ステップ、音声出力ステップ）。
【００３１】
例えば、「食事メニュー」に該当するデータが記憶装置３０に記憶されていない場合を考える。この場合、音声催促データ準備部２３は、図３に示すアクションＡが行われるための音声催促データを準備する。アクションＡには、「食事メニュー」の入力をユーザに催促する内容が含まれる。音声催促データ準備部２３は、準備した音声催促データを音声出力部２５に提供する。
【００３２】
ここで、前記音声催促データは、ユーザにより入力されるべきデータに紐づけられた、当該データの内容ごとに対応する音声データが格納されたデータテーブルを、音声催促データ準備部２３が参照することで準備されてもよい。また、電子機器１が人工知能（ＡＩ：Artificial Intelligence）を搭載しており、当該人工知能が、ユーザにより入力されるべきデータに応じた適切な音声データを生成し、当該生成された音声データを前記音声催促データとして音声催促データ準備部２３が準備してもよい。ここで説明した前記音声催促データの準備方法と同様の方法で、前記音声評価データも準備されてもよい。
【００３３】
音声出力部２５は、音声催促データ準備部２３から提供された音声催促データをスピーカ１２より出力する処理を行う。スピーカ１２が前記音声催促データを音声として出力することにより、アクションＡが行われる。図３に示すように、アクションＡが行われた後、ユーザが電子機器１に「食事メニュー」を入力すると、制御装置２０は、マイク１１から入力された「食事メニュー」を記憶装置３０に記憶する。また、制御装置２０は、ユーザに対する返答用の音声データを準備し、準備した音声データをスピーカ１２より出力することにより、アクションＢが行われる。
【００３４】
以上のように、電子機器１がデータの入力をユーザに催促する音声催促データを出力することにより、ユーザは忘れることなくデータの入力を行うことができる。このため、電子機器１は、データの入力に基づいて、ユーザに対してよりよいサービスを提供することができる。
【００３５】
（変形例１）
制御装置２０による処理の変形例１を図４に基づいて説明する。図４は、図１に示す電子機器１による対話の一例を示す図である。前述したステップＳ３において、音声催促データ準備部２３は、音声催促データにつき、当該データの入力の重要性をユーザに知らせる音声を含むように準備してもよい。具体的に以下に説明する。
【００３６】
ここで、例えば、イベント検出部２１によって検出された所定のイベントは、「食事データの入力」であるものとする。また、ユーザにより入力されるべきデータとしての「体重」に該当するデータが記憶装置３０に記憶されていない場合を考える。この場合、前述したステップＳ３において、音声催促データ準備部２３は、図４に示すアクションＣが行われるための音声催促データを準備する。
【００３７】
アクションＣには、「体重」の入力をユーザに催促する内容、及び「体重」の入力の重要性をユーザに知らせる内容が含まれる。音声催促データ準備部２３は、準備した音声催促データを音声出力部２５に提供する。
【００３８】
音声出力部２５は、音声催促データ準備部２３から提供された音声催促データをスピーカ１２より出力する処理を行う。スピーカ１２が前記音声催促データを音声として出力することにより、アクションＣが行われる。この構成によれば、ユーザに対してデータの入力の重要性を伝えることができるため、ユーザがデータの入力を行う可能性を向上させることができる。
【００３９】
（変形例２）
制御装置２０による処理の変形例２を図５〜図７に基づいて説明する。図５は、図１に示す電子機器１が備える制御装置２０による処理の流れの変形例を示すフローチャートである。図６及び図７は、図１に示す電子機器１による対話の一例を示す図である。図５に示すように、まず、前述したステップＳ１及びステップＳ２の処理が行われる。
【００４０】
ここで、例えば、イベント検出部２１によって検出された所定のイベントは、「就寝前の状態」であるものとする。イベント検出部２１は、現在時刻がユーザの就寝時刻より所定時間だけ前の時刻になった時点で、所定のイベントとしての「就寝前の状態」が発生したことを検出する。
【００４１】
また、「歩数」に該当するデータが記憶装置３０に記憶されていない場合を考える。この場合、音声催促データ準備部２３は、図６に示すアクションＤが行われるための音声催促データを準備する。アクションＤには、ウォーキングが完了したか否かをユーザに確認する内容、及び「歩数」の入力をユーザに催促する内容が含まれる。音声催促データ準備部２３は、準備した音声催促データを音声出力部２５に提供する。
【００４２】
音声出力部２５は、音声催促データ準備部２３から提供された音声催促データをスピーカ１２より出力する処理を行う（ステップＳ３）。スピーカ１２が前記音声催促データを音声として出力することにより、アクションＤが行われる。図６に示すように、アクションＤが行われた後、ユーザが電子機器１に「歩数」を入力すると、制御装置２０は、マイク１１から入力された「歩数」を記憶装置３０に記憶する。
【００４３】
音声評価データ準備部２４は、ユーザが入力した入力データについて、ユーザが過去に入力して記憶装置３０に記憶されているデータを参照する（ステップＳ４）。具体的には、音声評価データ準備部２４は、ユーザが入力した入力データに含まれる情報としての「歩数」について、ユーザが過去に入力して記憶装置３０に記憶されている「歩数」を参照する。
【００４４】
ここで、例えば、音声評価データ準備部２４は、ユーザにより今回入力された入力データに含まれる情報としての「歩数」と、ユーザが過去に入力して記憶装置３０に記憶されている「歩数」とを比較する。ユーザにより今回入力された入力データに含まれる情報としての「歩数」が１日前及び２日前にユーザにより入力されて記憶装置３０に記憶されている「歩数」より多い場合、図６に示すアクションＥが行われるための音声評価データを準備する。
【００４５】
アクションＥには、「歩数」の最高記録が３日連続して更新されていることをユーザに伝える内容が含まれる。音声評価データ準備部２４は、準備した音声評価データを音声出力部２５に提供する。音声出力部２５は、音声評価データ準備部２４から提供された音声評価データをスピーカ１２より出力する処理を行う（ステップＳ５）。スピーカ１２が前記音声評価データを音声として出力することにより、アクションＥが行われる。
【００４６】
なお、音声評価データ準備部２４は、図７に示すアクションＦが行われるように、音声評価データを準備してもよい。具体的には、音声評価データ準備部２４は、ユーザにより今回入力された入力データに含まれる情報としての「歩数」が１００００歩以上であるか否かを確認する。
【００４７】
また、今回、及び１日前〜１０日前にユーザにより入力されて記憶装置３０に記憶されている「歩数」が１００００歩以上である場合、音声評価データ準備部２４は、「歩数」が１０日連続して１００００歩以上であることを認識する。この場合、音声評価データ準備部２４は、図７に示すアクションＦが行われるための音声評価データを準備する。アクションＦには、「歩数」が１０日連続して１００００歩以上であることをユーザに伝える内容が含まれる。この後、アクションＥと同様に、アクションＦが行われる。
【００４８】
このように、音声評価データ準備部２４は、音声催促データの出力に応じてユーザが入力した入力データについて、ユーザが過去に入力して記憶装置３０に記憶されているデータを参照し、当該入力データを評価する音声評価データを準備する処理を行う。これにより、ユーザが入力した入力データについて評価するため、ユーザに対して評価を認識させることができる。よって、ユーザのモチベーションを向上させることができ、ユーザがデータの入力を行う可能性を向上させることができる。
【００４９】
〔ソフトウェアによる実現例〕
制御装置２０の制御ブロック（特にイベント検出部２１、確認部２２、音声催促データ準備部２３、音声評価データ準備部２４、及び音声出力部２５）は、集積回路（ＩＣチップ）等に形成された論理回路（ハードウェア）によって実現してもよいし、ソフトウェアによって実現してもよい。
【００５０】
後者の場合、制御装置２０は、各機能を実現するソフトウェアであるプログラムの命令を実行するコンピュータを備えている。このコンピュータは、例えば少なくとも１つのプロセッサ（制御装置）を備えていると共に、前記プログラムを記憶したコンピュータ読み取り可能な少なくとも１つの記録媒体を備えている。そして、前記コンピュータにおいて、前記プロセッサが前記プログラムを前記記録媒体から読み取って実行することにより、本発明の目的が達成される。前記プロセッサとしては、例えばＣＰＵ（Central Processing Unit）を用いることができる。前記記録媒体としては、「一時的でない有形の媒体」、例えば、ＲＯＭ（Read Only Memory）等の他、テープ、ディスク、カード、半導体メモリ、プログラマブルな論理回路などを用いることができる。また、前記プログラムを展開するＲＡＭ（Random Access Memory）などをさらに備えていてもよい。また、前記プログラムは、該プログラムを伝送可能な任意の伝送媒体（通信ネットワークや放送波等）を介して前記コンピュータに供給されてもよい。なお、本発明の一態様は、前記プログラムが電子的な伝送によって具現化された、搬送波に埋め込まれたデータ信号の形態でも実現され得る。
【００５１】
〔まとめ〕
本発明の態様１に係る電子機器は、少なくとも１つの音声出力装置と、少なくとも１つの制御装置と、を備える電子機器であって、前記制御装置は、所定のイベントが発生したことを検出するイベント検出処理と、前記イベントに関連してユーザにより入力されるべきデータが、記憶装置に記憶されているか否かを確認する確認処理と、前記データが前記記憶装置に記憶されていない場合、前記データの入力をユーザに催促する音声催促データを準備する音声催促データ準備処理と、前記音声催促データを前記音声出力装置より出力する音声出力処理と、を行う構成である。
【００５２】
本発明の態様２に係る電子機器は、上記の態様１において、前記制御装置は、前記音声催促データ準備処理において、前記音声催促データにつき、前記データの入力の重要性をユーザに知らせる音声を含むように準備する構成としてもよい。
【００５３】
本発明の態様３に係る電子機器は、上記の態様１または２において、前記制御装置は、前記音声催促データの出力に応じてユーザが入力した入力データについて、ユーザが過去に入力して前記記憶装置に記憶されているデータを参照し、前記入力データを評価する音声評価データを準備する音声評価データ準備処理をさらに行う構成としてもよい。
【００５４】
本発明の態様４に係る制御装置は、少なくとも１つの音声出力装置を備える電子機器を制御するための制御装置であって、所定のイベントが発生したことを検出する処理を行うイベント検出部と、前記イベントに関連してユーザにより入力されるべきデータが、記憶装置に記憶されているか否かを確認する処理を行う確認部と、前記データが前記記憶装置に記憶されていない場合、前記データの入力をユーザに催促する音声催促データを準備する処理を行う音声催促データ準備部と、前記音声催促データを前記音声出力装置より出力する処理を行う音声出力部と、を備えている構成である。
【００５５】
本発明の態様５に係る制御方法は、少なくとも１つの音声出力装置を備える電子機器を制御するための制御方法であって、所定のイベントが発生したことを検出するイベント検出ステップと、前記イベントに関連してユーザにより入力されるべきデータが、記憶装置に記憶されているか否かを確認する確認ステップと、前記データが前記記憶装置に記憶されていない場合、前記データの入力をユーザに催促する音声催促データを準備する音声催促データ準備ステップと、前記音声催促データを前記音声出力装置より出力する音声出力ステップと、を備えている方法である。
【００５６】
本発明の各態様に係る制御装置は、コンピュータによって実現してもよく、この場合には、コンピュータを前記制御装置が備える各部（ソフトウェア要素）として動作させることにより前記制御装置をコンピュータにて実現させる制御装置のプログラム、及びそれを記録したコンピュータ読み取り可能な記録媒体も、本発明の範疇に入る。
【００５７】
〔付記事項〕
本発明は前述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【符号の説明】
【００５８】
１  電子機器
１１  マイク
１２  スピーカ（音声出力装置）
２０  制御装置
２１  イベント検出部
２２  確認部
２３  音声催促データ準備部
２４  音声評価データ準備部
２５  音声出力部
３０  記憶装置
【図１】
2020134585.tif 000003
【図２】
2020134585.tif 000004
【図３】
2020134585.tif 000005
【図４】
2020134585.tif 000006
【図５】
2020134585.tif 000007
【図６】
2020134585.tif 000008
【図７】
2020134585.tif 000009